(57)【要約】      （修正有）【課題】ソフトウェアやハードウェアのコストアップを抑えつつ、ＯＳＤの表示位置および表示サイズに関する問題を解決する。【解決手段】ＤＶＤプレーヤ制御部（第二のマイクロプロセッサ）から、データ通信手段を介してテレビ制御部（第一のマイクロプロセッサ）へＯＳＤ制御するように通信し、前記第一のマイクロプロセッサに各制御を表すアイコンの出力命令を送信し、前記第一のＯＳＤ制御手段によって前記各制御を表すアイコンの文字および図形信号を出力するように、第一の図形信号発生手段を制御する。【選択図】図１
2008172312.tif 000002
【特許請求の範囲】
【請求項１】
１６：９と４：３の映像アスペクト比を有するテレビ信号のいずれも受信することができるテレビ信号受信手段と、図形信号を前記テレビ信号に重畳するための第一の図形信号発生手段とを備えるテレビ受信部と、１６：９と４：３の映像アスペクト比を有する映像信号が記録された光ディスクのいずれも再生することができる光ディスク再生手段と、図形信号を前記映像信号に重畳するための第二の図形信号発生手段と、前記光ディスクを載置するためのディスクトレイとを備える光ディスク再生部とを備える映像装置において、
前記ディスクトレイがオープン中であることを表す図形信号を前記第一の図形信号発生手段によって発生させるようにしたことを特徴とする映像装置。
【請求項２】
１６：９と４：３の映像アスペクト比を有するテレビ信号のいずれも受信することができるテレビ信号受信手段と、図形信号を前記テレビ信号に重畳するための第一の図形信号発生手段とを備えるテレビ受信部と、１６：９と４：３の映像アスペクト比を有する映像信号が記録された光ディスクのいずれも再生することができる光ディスク再生手段と、図形信号を前記映像信号に重畳するための第二の図形信号発生手段と、前記光ディスクを載置するためのディスクトレイとを備える光ディスク再生部とを備える映像装置において、
前記ディスクトレイがオープン中であることを表す図形信号を前記第一の図形信号発生手段によって発生させるようにしたことを特徴とする映像装置。
【発明の詳細な説明】
【技術分野】
【０００１】
本発明は映像表示装置に関し、より詳細には、ディスプレイ上に、テレビ画面やＤＶＤ再生画面などと一緒に、文字や図形などの表示サイズと表示位置をアスペクト比の切り換えに影響を受けることなく一定にするオンスクリーンディスプレイ（以降、ＯＳＤと記す）機能を実現する映像表示装置に関する。 
【背景技術】
【０００２】
近年の映像表示装置では、アスペクト比が１６：９のワイド画面の映像を放送するワイド放送が行われることが多くなってきていることから、アスペクト比が４：３と１６：９の両方に表示対応するものが普及している。内側の長方形で示したレターボックス形式のワイド放送の画面構成は、外側の長方形で示したアスペクト比が４：３の通常放送の画面構成に対比すると、上下に映像信号のない無画部を伴うような状態となっている。放送受信装置では、ビデオ端子の出力は上下に無画部を伴うワイド放送の画面構成となっている。ワイド画面を有する放送受信装置（ワイドテレビ）では、無画部を検出することに基づいて形状変化の変換処理を行って、アスペクト比１６：９のワイド画面にちょうど収まるようにしている。また、映像および音声信号を再生するDVDプレーヤは、再生信号のアスペクト比を１６：９もしくは４：３のいずれかに切り換える機能を持つのが通常である。
【０００３】
図７に従来例を示すブロック図を示す。本従来例は、ＤＶＤプレーヤとテレビを接続したブロック図を示している。最初にテレビの信号処理を説明する。アンテナ７０１はテレビ放送信号を受信して受信信号を受信手段７０３に送る。ユーザの所望するチャンネル番号を示すリモコン信号がリモコン７０５から発信され、該リモコン信号が受光部７０７によって受光される。受光した信号に従ってテレビマイクロプロセッサ７０９が受信手段７０３に対して指定されたチャンネル番号に同調するように指令信号を送る。同調した信号は受信信号復調手段７１１へ送出され、受信した信号を処理するための中間周波数に復調される。次にＤＶＤプレーヤの信号処理を説明する。ユーザの所望する再生指令を示すリモコン信号がリモコン７６１から発信され、該リモコン信号が受光部７５９によって受光される。次に、受光されたリモコン信号に従ってＤＶＤマイクロプロセッサ７１３は光ピックアップ７１５に対して読み取り動作をする指令を送る。光ピックアップ７１５は、ディスク記録媒体７１７に対してレーザー光をあて、反射した光を読み取る。光ピックアップ７１５によって受け取られた信号は再生信号復調手段７１９によって復調される。使用者からの指令があったときなど、動作制御のアイコンや、メニュー画面のＯＳＤ表示が必要となったときには、ＤＶＤ  ＯＳＤ制御手段７２１によってＤＶＤ図形信号発生手段７２３から文字信号が発生される。発生された文字信号はＤＶＤマルチプレクサ７２５によって前記文字信号が重畳される。
【０００４】
次に映像信号が表示されるまでの信号の流れを説明する。切換部７２７は、アンテナ７０１からの映像信号およびディスク記録媒体７１７からの映像信号のいずれかを切り換えて後段の回路に伝えるためのものである。リモコン７０５から切換信号が発信され、受光部７０７によって受光された切換信号に従ってテレビマイクロプロセッサ７０９が切換部７２７に対して切換信号を送り、切換部７２７は受信信号復調手段７１１からの信号かＤＶＤマルチプレクサ７２５を経由して送られてくる再生信号復調手段７１９からの信号のいずれかに切り換えて後段に伝える。切換部７２７で選択された信号は、音声信号処理部７２９および映像信号処理部７３１に送られる。音声信号処理部７２９からの信号はアナログ音声出力部７３３を介してスピーカ７３７に送られる。映像信号処理部７３１は輝度信号と色信号を出力し、それらの信号はテレビマルチプレクサ７４１に送られる。前記ＤＶＤプレーヤの場合と同様に、ユーザからの指令があったときなど動作制御のアイコンや、メニュー画面のＯＳＤ表示が必要となったときには、テレビＯＳＤ制御手段７４３によってテレビ図形信号発生手段７４５から図形信号が発生される。テレビマルチプレクサ７４１によって前記発生された図形信号が重畳される。テレビマルチプレクサ７４１から出力された信号はアナログ映像出力部７４７に送られ、次にブラウン管や液晶などの表示手段７４９に送られる。
【０００５】
特許文献１には、縦横の表示画素数が固定されたオンスクリーン情報を、オンスクリーン情報の表示領域の始端を補正するとともに、水平振幅および垂直振幅のオンスクリーン情報を補正することによって、画像全体の振幅又は位置を切り替えても、表示モード変更前と同じ位置に表示させることにより、視聴者へのオンスクリーン情報の表示が常に同じ位置に行われる技術が開示されている。
【特許文献１】特開平９−２１９８２９
【発明の開示】
【発明が解決しようとする課題】
【０００６】
近年、主たる機能を複数併せ持った製品が市場に出てきている。例えば、前述の従来例で説明したＤＶＤプレーヤとテレビの２つの製品を一つにした複合製品などがある。通常、各動作を制御するためのマイクロプロセッサは一つの製品に対して一つであるが、これらの復号製品は、生産コストや開発コストを抑えるために、それぞれの機能、例えばＤＶＤとテレビの複合機であれば、ＤＶＤとテレビのマイクロプロセッサをそれぞれ有し、両者のマイクロプロセッサを通信させることで複合機としての制御を行なうように設計されることが多い。
【０００７】
このため、ＤＶＤディスクのコンテンツに画面表示縦横比が４：３ノーマルと１６：９ワイドの両方の表示に対応しているものがあり、これに応じてＤＶＤプレーヤも４：３ノーマルと１６：９ワイドのいずれかを選択できる機能を持っている。またテレビ放送信号も近年では４：３ノーマルと１６：９ワイドのアスペクト比両方の映像信号が含まれており、テレビ受信機でアスペクト比を選択設定できるようになっている。
【０００８】
前記のようにＤＶＤプレーヤ部分とテレビ部分がそれぞれ別々にマイクロプロセッサを有するように設計されている複合製品において、ＤＶＤプレーヤとテレビのそれぞれの各制御を表すアイコン表示は、ぞれぞれのマイクロプロセッサの図形信号発生器によって出力されるように設計されている。例えば、チャンネル表示や輝度／コントラストなどテレビ専用機能の設定調整画面はテレビ側のマイクロプロセッサで図形信号を出力制御し、一方、再生／早送り／倍速／ディスクアウト／初期設定画面などのＤＶＤ専用機能に係るＯＳＤはＤＶＤプレーヤ側のマイクロプロセッサによって図形信号を出力制御するように設計されている。これは、複合機専用として新たに一つのマイクロプロセッサを開発するコストや時間を節約するために、ＤＶＤプレーヤとテレビのそれぞれ単体製品として独立したマイクロプロセッサをそのまま採用している。
【０００９】
このような設計における問題点として、ＤＶＤプレーヤのアスペクト比を４：３ノーマルに設定してＤＶＤディスクの再生信号を画面表示し、ＤＶＤプレーヤの制御を表すアイコンをＯＳＤ表示している時にテレビ側のアスペクト比が変わると、ＯＳＤ表示されているアイコン表示の縦横比が変わってしまったり、アイコンの表示位置が変わったりするという問題点が発生する。
【００１０】
前記アスペクト比の切り換えによるＯＳＤ表示位置と表示サイズの問題を図を参照して説明する。図５はＤＶＤプレーヤによる再生映像をテレビに出力した画面表示である。ＤＶＤプレーヤのアスペクト比は４：３ノーマルで、トレイディスクオープンした時にテレビ側のアスペクト比を４：３ノーマル（上図）から１６：９ワイド（下図）に切り換えた場合、ＤＶＤプレーヤの映像出力をテレビ側が画面横方向を縮めるので、トレイディスクオープンのアイコンも同じように横方向に縮んで表示される。
【００１１】
次に図６は同様にＤＶＤプレーヤによる再生映像をテレビに出力した画面表示であるが、この図は、ＤＶＤプレーヤのアスペクト比は４：３ノーマルで、トレイディスクオープンした時にテレビ側のアスペクト比を４：３ノーマル（上図）から１６：９ワイド（下図）に切り換えた場合を表している。ＤＶＤプレーヤの映像出力をテレビ側が画面横方向を伸ばすので、トレイディスクオープンのアイコンも同じように横方向に伸びて表示される。
【００１２】
前記のようにＤＶＤプレーヤから出力されているアイコン文字信号は、テレビ側のアスペクト比の切り換えに影響を受ける。使用者がアスペクト比変更の指示をする場合以外で、ＤＶＤプレーヤのディスクトレイオープンをしたときにＤＶＤプレーヤで設定されたアスペクト比とは異なるアスペクト比でテレビが設定されているときにディスクトレイオープンしていることを表すアイコンの表示サイズと表示位置が動くという不具合が生じる。
【００１３】
本発明は、前記のようにマイクロプロセッサを機能毎に有する複合製品において、他方のマイクロプロセッサに表示制御を移すアイコンを極力少なくすることによって、ソフトウェアやハードウェアのコストアップを抑えつつ、ＯＳＤの表示位置および表示サイズに関する問題を解決しようとするものである。
【課題を解決するための手段】
【００１４】
映像装置において、１６：９と４：３の映像アスペクト比を有するテレビ信号のいずれも受信することができるテレビ信号受信手段と、図形信号を前記テレビ信号に重畳するための第一の図形信号発生手段とを備えるテレビ受信部と、１６：９と４：３の映像アスペクト比を有する映像信号が記録された光ディスクのいずれも再生することができる光ディスク再生手段と、図形信号を前記映像信号に重畳するための第二の図形信号発生手段と、前記光ディスクを載置するためのディスクトレイとを備える光ディスク再生部とを備え、前記ディスクトレイがオープン中であることを表す図形信号を前記第一の図形信号発生手段によって発生させる。
【００１５】
映像装置において、１６：９と４：３の映像アスペクト比を有するテレビ信号のいずれも受信することができるテレビ信号受信手段と、図形信号を前記テレビ信号に重畳するための第一の図形信号発生手段とを備えるテレビ受信部と、１６：９と４：３の映像アスペクト比を有する映像信号が記録された光ディスクのいずれも再生することができる光ディスク再生手段と、図形信号を前記映像信号に重畳するための第二の図形信号発生手段と、前記光ディスクを載置するためのディスクトレイとを備える光ディスク再生部とを備え、前記ディスクトレイがオープン中であることを表す図形信号を前記第一の図形信号発生手段によって発生させる。
【００１６】
前述のとおり構成することにより、不具合の生じるＯＳＤのみをテレビ側で表示できるように作用する。
【発明の効果】
【００１７】
請求項１に記載の発明によれば、それぞれが複数のアスペクト比を有する映像信号を処理可能な復号製品において、再生信号制御手段と受信信号制御手段で設定されたアスペクト比がそれぞれ異なる場合でも、前記アスペクト比の不一致に関わらず、ディスクトレイオープンを表す再生信号制御手段の動作制御を表すアイコンの表示位置および表示サイズを一定に保つことが可能となる。
【００１８】
請求項２に記載の発明によれば、それぞれが複数のアスペクト比を有する映像信号を処理可能な復号製品において、再生信号制御手段と受信信号制御手段で設定されたアスペクト比がそれぞれ異なる場合でも、前記アスペクト比の不一致に関わらず、再生信号制御手段の動作制御を表すアイコンの表示位置および表示サイズを一定に保つことが可能となる。
【発明を実施するための最良の形態】
【００１９】
以下、図面を参照しつつ、本発明の実施の形態について説明する。
図１は本実施例に係る製品のブロック図を示す。前記製品はＤＶＤプレーヤとテレビの複合製品を表す。最初にテレビの信号処理の前段を信号の流れに沿って説明する。アンテナ１０１はテレビ放送信号を受信して受信信号を受信手段１０３に送る。ユーザの所望するチャンネル番号を示すリモコン信号がリモコン１０５から発信され、該リモコン信号が受光部１０７によって受光される。受光した信号に従って第一のマイクロプロセッサ１０９が受信手段１０３に対して指定されたチャンネル番号に同調するように指令信号を送る。同調した信号は受信信号復調手段１１１へ送出され、受信した信号を処理するための中間周波数に復調される。次にＤＶＤプレーヤの信号処理の前段を信号の流れに沿って説明する。ユーザの所望する再生指令を示すリモコン信号がリモコン１０５から発信され、該リモコン信号が受光部１０７によって受光される。次に、受光されたリモコン信号に従って第二のマイクロプロセッサ１１３は光ピックアップ１１５に対して読み取り動作をする指令を送る。光ピックアップ１１５は、ディスク記録媒体１１７に対してレーザー光をあて、反射した光を読み取る。光ピックアップ１１５によって受け取られた信号は再生信号復調手段１１９によって復調される。使用者からの指令があったときなど、動作制御のアイコンや、メニュー画面のＯＳＤ表示が必要となったときには、第二のＯＳＤ制御手段１２１によって第二の図形信号発生手段１２３から文字信号が発生される。発生された文字信号は第二のマルチプレクサ１２５によって前記文字信号が重畳される。
【００２０】
次に前記の映像信号が表示されるまでを信号の流れに沿って説明する。切換部１２７は、アンテナ１からの映像信号およびディスク記録媒体１１７からの映像信号のいずれかを切り換えて後段の回路に伝えるためのものである。リモコン１０５から切換信号が発信され、受光部１０７によって受光された切換信号に従って第一のマイクロプロセッサ１０９が切換部１２７に対して切換信号を送り、切換部１２７は受信信号復調手段１１１からの信号か第二のマルチプレクサ１２５を経由して送られてくる再生信号復調手段１１９からの信号のいずれかに切り換えて後段に伝える。切り換えは、リモコン１０５に設けられた図示しない切換専用キーによって切り換えるよう制御することも可能であり、また受信信号復調手段１１１からの信号を表示している時に、ＤＶＤプレーヤの再生指令を受けたときには自動的に再生信号復調手段１１９からの信号に切り換えるように制御することも可能であり、これは製品の仕様に従って制御ソフトウェアを設計することでどのようにでも制御することが可能である。切換部１２７で選択された信号は、音声信号処理部１２９および映像信号処理部１３１に送られる。音声信号処理部１２９からはアナログ音声信号とデジタル音声信号に分けて出力され、それぞれアナログ音声出力部１３３とデジタル音声出力部１３５に送られる。アナログ音声出力部からの信号はスピーカ１３７に送られる。デジタル音声出力部１３５からの信号は、デジタル音声信号を処理できるオーディオアンプ１３９などの外部機器へと送られる。映像信号処理部１３１は輝度信号と色信号を出力し、それらの信号は第一のマルチプレクサ１４１に送られる。前記ＤＶＤプレーヤの場合と同様に、使用者からの指令があったときなど動作制御のアイコンや、メニュー画面のＯＳＤ表示が必要となったときには、第一のＯＳＤ制御手段１４３によって第一の図形信号発生手段１４５から図形信号が発生される。第一のマルチプレクサ１４１によって前記発生された図形信号が重畳される。第一のマルチプレクサ１４１から出力された信号はアナログ映像出力部１４７に送られ、次にブラウン管や液晶などの表示手段１４９に送られる。
【００２１】
次にアスペクト比切り換えに関して説明する。テレビ放送信号の映像信号には縦横比４：３ノーマルと１６：９ワイドの２種類が存在し、第一のアスペクト比切換手段１５１によって映像信号を画面に表示する際のアスペクト比を選択することが出来る。同様に、ＤＶＤディスクの映像コンテンツも縦横比４：３ノーマルと１６：９ワイドの２種類が存在し、第二のアスペクト比切換手段１５３によって映像信号を画面に表示する際のアスペクト比を選択することが出来る。ディスクトレイ１５５はディスク記録媒体１１７を載置するためのトレイであり、ギアを介してＤＶＤプレーヤの内外に直線的に移動する。ディスクオープン指令がリモコン１０５から発信されて受光部１０７で受信され、第二のマイクロプロセッサ１１３によってディスクトレイ１５５がオープン開始する。ディスクトレイ１５５が終端まで移動したとき、すなわちディスクトレイが開放されたときに押下されるスイッチが設けられており、このスイッチが押下されたことをトレイアウト検知手段１５７が検知してディスクトレイ１５５が終端まで移動したことを第二のマイクロプロセッサ１１３が認識する。
【００２２】
図２は本発明の実施例に係る動作をフローチャートで示したものである。以下図１および図２を参照して本発明の動作説明を行なう。
【００２３】
リモコン１０５から、ディスクトレイオープンキー信号が発信される（ステップＳ２０１）。リモコン（１０５）から発信された信号は受光部（１０７）で受信される（ステップＳ２０２）。ディスクトレイオープンキー信号が発信されたことを、第二のマイクロプロセッサ１１３はデータ通信手段１５９を介して第一のマイクロプロセッサ１０９に転送する（ステップＳ２０３）。ディスクトレイオープンを指令するのに、図示されない本体キーを用いても良い。
【００２４】
第一のマイクロプロセッサ１０９はディスクトレイオープンキーが押下されたことをデータ通信手段１５９を介して受信したのち、第一のＯＳＤ制御手段１４３は第一の図形信号発生手段１４５を制御して、ディスクトレイオープンしていることを表すアイコンの文字信号を発生する（ステップＳ２０４）。ステップＳ２０４と同時に、第二のマイクロプロセッサ１１３はディスクトレイ１５５をオープン開始するよう制御する（ステップＳ２０５）。ディスクトレイ１５５が終端まで移動したとき、ディスクトレイ１５５がスイッチを押すことによってトレイアウト検知手段１５７はディスクトレイ１５５が最後までオープンしたことを検知する（ステップＳ２０６）。
【００２５】
トレイアウト検知手段１５７によってディスクトレイ１５５が終端まで移動したことを検知したことを、第二のマイクロプロセッサ１１３はデータ通信手段１５９を介して第一のマイクロプロセッサ１０９に送信する（ステップＳ２０７）。送信されたデータを受信した第一のマイクロプロセッサ１０９は、第一のＯＳＤ制御手段１４３によって第一の文字信号発生手段１４５からの文字信号出力を停止する（ステップＳ２０８）。
【００２６】
図３は本発明に係る第一の表示画面を表す。第二のマイクロプロセッサ１１３（ＤＶＤプレーヤ）の第二のアスペクト比切換手段１５３が４：３ノーマルの設定で、第一のマイクロプロセッサ１０９（テレビ）の構成要件である第一のアスペクト比切換手段１５１が４：３ノーマルから１６：９ワイドに切り換えられたときにディスクトレイオープンを表すアイコンは位置もサイズも変化しない。これは前述までの説明のとおり、第二のマイクロプロセッサ１１３と受信信号制御手段１４３がデータ通信手段１５９を介して通信し、ディスクトレイオープンのアイコン表示を第一のＯＳＤ制御手段１４３によって制御して、第一の図形信号発生手段１４５によって表示しているため、テレビのアスペクト比切換に関わらず、表示位置も表示サイズも一定となる。
【００２７】
図４は本発明に係る第二の表示画面を表す。第二のマイクロプロセッサ１１３（ＤＶＤプレーヤ）の第二のアスペクト比切換手段１５３が４：３ノーマルの設定で、受信信号制御手段１４３（テレビ）の第一のアスペクト比切換手段１５１が１６：９ワイドから４：３ノーマルに切り換えられたときにディスクトレイオープンを表すアイコンは位置もサイズも変化しない。これは前述までの説明のとおり、第二のマイクロプロセッサ１１３と受信信号制御手段１４３がデータ通信手段１５９を介して通信し、ディスクトレイオープンのアイコン表示を第一のＯＳＤ制御手段１４３によって制御して、第一の図形信号発生手段１４５によって表示しているため、テレビのアスペクト比切換に関わらず、表示位置も表示サイズも一定となる。また、ディスクトレイオープン時には第二のマイクロプロセッサ１１３（ＤＶＤプレーヤ）の構成要件である第二のＯＳＤ制御手段からは第二の図形信号発生手段には図形信号を発生させないように制御を行なうので、第一の図形信号発生手段からの図形信号と、第二の図形信号発生手段からの図形信号が同時に表示されることを防ぐようにしている。
【００２８】
また、本実施例ではＤＶＤプレーヤとテレビを組み合わせた場合において説明を行なっているが、本発明はＤＶＤプレーヤとモニターの組み合わせにおいても同様に実施することが可能である。
【図面の簡単な説明】
【００２９】
【図１】本発明に係る実施例のブロック図を表す。
【図２】本発明に係る動作のフローチャートを表す。
【図３】本発明に係る第一の表示画面を表す。
【図４】本発明に係る第二の表示画面を表す。
【図５】従来技術に係る第一の表示画面を表す。
【図６】従来技術に係る第二の表示画面を表す。
【図７】従来技術に係るブロック図を表す。
【符号の説明】
【００３０】
１０３  テレビ信号受信手段
１１５  光ディスク再生手段
１２３  第二の図形信号発生手段
１４５  第一の図形信号発生手段
１５５  ディスクトレイ
【図２】
2008172312.tif 000003
【図１】
2008172312.tif 000004
【図３】
2008172312.tif 000005
【図４】
2008172312.tif 000006
【図５】
2008172312.tif 000007
【図６】
2008172312.tif 000008
【図７】
2008172312.tif 000009